【手続補正書】
【提出日】平成18年6月7日(2006.6.7)
【手続補正１】
【補正対象書類名】明細書
【補正対象項目名】発明の名称
【補正方法】変更
【補正の内容】
【発明の名称】実像式ファインダー光学系及びそれを用いた撮像装置
【手続補正２】
【補正対象書類名】明細書
【補正対象項目名】特許請求の範囲
【補正方法】変更
【補正の内容】
【特許請求の範囲】
【請求項１】   撮影光学系とは別体に構成され、
物体側より順に配置された、正の屈折力を有する対物光学系と、前記対物光学系の結像位置近傍に配置された視野枠と、正の屈折力を有する接眼光学系とを有する実像式ファインダー光学系において、
前記実像式ファインダー光学系が、像正立手段を有し、
前記対物光学系の焦点距離が、前記接眼光学系の焦点距離より短い値をとることが可能であり、
かつ、次の条件式(1)を満足することを特徴とする実像式ファインダー光学系。
０．５２ ＜ｍｈ／ｆｅ ＜ １                                     ……(1)
ただし、ｍｈは視野枠の最大幅、ｆｅは接眼光学系の焦点距離である。
【請求項２】   物体側より順に配置された、正の屈折力を有する対物光学系と、前記対物光学系の結像位置近傍に配置された視野枠と、正の屈折力を有する接眼光学系とを有する実像式ファインダー光学系において、
前記実像式ファインダー光学系が、像正立手段を有し、
前記対物光学系が、前記像正立手段のうちの３つの反射面を含み、
前記接眼光学系が、前記像正立手段のうちの１つの反射面を含み、
前記対物光学系の３つの反射面と前記接眼光学系の１つの反射面とを合わせた４つの反射面を介して像正立を達成し、
前記対物光学系の焦点距離が可変であり、変倍時に少なくとも２つのレンズ群が異なる軌跡を移動し、かつ、前記対物光学系の広角端における焦点距離が前記接眼光学系の焦点距離より短く、
かつ、次の条件式(1)を満足することを特徴とする実像式ファインダー光学系。
０．５２ ＜ｍｈ／ｆｅ ＜ １                                     ……(1)
ただし、ｍｈは視野枠の最大幅、ｆｅは接眼光学系の焦点距離である。
【請求項３】   物体側より順に配置された、正の屈折力を有する対物光学系と、前記対物光学系の結像位置近傍に配置された視野枠と、正の屈折力を有する接眼光学系とを有する実像式ファインダー光学系において、
前記実像式ファインダー光学系が、像正立手段を有し、
前記対物光学系が、像正立手段のうちの３つの反射面を含み、
前記接眼光学系が、像正立手段のうちの１つの反射面を含み、
前記対物光学系の３つの反射面と前記接眼光学系の１つの反射面とを合わせた４つの反射面を介して像正立を達成し、
前記対物光学系の焦点距離が可変であり、変倍時に少なくとも２つのレンズ群が異なる軌跡を移動し、かつ、前記対物光学系の広角端における焦点距離が前記接眼光学系の焦点距離より短く、
前記対物光学系中の前記３つの反射面を含む像正立手段は２つのプリズムで構成され、各々のプリズムが少なくとも１つの反射面を有し、かつ、前記プリズムの入射面又は射出面の少なくともいずれか一方を有限の曲率の曲面としたことを特徴とする実像式ファインダー光学系。
【請求項４】   物体側より順に配置された、正の屈折力を有する対物光学系と、前記対物光学系の結像位置近傍に配置された視野枠と、正の屈折力を有する接眼光学系とを有する実像式ファインダー光学系において、
前記対物光学系が、４つの反射面を含む像正立手段を有し、
前記対物光学系の焦点距離が可変であり、変倍時に少なくとも２つのレンズ群が異なる軌跡を移動し、かつ、前記対物光学系の広角端における焦点距離が前記接眼光学系の焦点距離より短く、
かつ、次の条件式(1)を満足することを特徴とする実像式ファインダー光学系。
０．５２ ＜ｍｈ／ｆｅ ＜ １                                   ……(1)
ただし、ｍｈは視野枠の最大幅、ｆｅは接眼光学系の焦点距離である。
【請求項５】   物体側より順に配置された、正の屈折力を有する対物光学系と、前記対物光学系の結像位置近傍に配置された視野枠と、正の屈折力を有する接眼光学系とを有する実像式ファインダー光学系において、
前記対物光学系が、４つの反射面を含む像正立手段を有し、
前記対物光学系の焦点距離が可変であり、変倍時に少なくとも２つのレンズ群が異なる軌跡をもって移動し、かつ、前記対物光学系の広角端における焦点距離が前記接眼光学系の焦点距離より短いことを特徴とする実像式ファインダー光学系。
【請求項６】  前記対物光学系の焦点距離が可変であり、変倍時に少なくとも２つのレンズ群が異なる軌跡をもって移動することを特徴とする請求項１に記載の実像式ファインダー光学系。
【請求項７】  次の条件式(2)を満足することを特徴とする請求項１又は６に記載の実像式ファインダー光学系。
１２．０ｍｍ ＜ ｆｅ ＜ １８．０ｍｍ                       ……(2)
ただし、ｆｅは接眼光学系の焦点距離である。
【請求項８】  次の条件式(3)を満足することを特徴とする請求項１又は６に記載の実像式ファインダー光学系。
１３．５ｍｍ＜ ｆｅ ＜ １６．５ｍｍ                         ……(3)
ただし、ｆｅは接眼光学系の焦点距離である。
【請求項９】  前記対物光学系が、前記像正立手段のうちの３つの反射面を含み、前記接眼光学系が、前記像正立手段のうちの１つの反射面を含み、前記対物光学系の３つの反射面と前記接眼光学系の１つの反射面とを合わせた４つの反射面を介して像正立を達成することを特徴とする請求項１又は６乃至８のいずれかに記載の実像式ファインダー光学系。
【請求項１０】  前記対物光学系が、４つの反射面を含む像正立手段を有し、前記対物光学系の４つの反射面を介して像正立を達成することを特徴とする請求項１又は６乃至８のいずれかに記載の実像式ファインダー光学系。
【請求項１１】  前記対物光学系を、物体側より順に配置された、変倍時に固定のあるいは可動の負の屈折力を有する第１群と、変倍時に可動の正の屈折力を有する第２群と、変倍時に可動の負屈折力を有する第３群と、変倍時に固定で３つの反射面を含み全体で正の屈折力を有する第４群とで構成したことを特徴とする請求項２に記載の実像式ファインダー光学系。
【請求項１２】  前記第４群が、少なくとも１つの反射面を有するプリズムを含み、前記プリズムの入射面あるいは射出面の少なくともいずれか一方に有限の曲率の曲面を有することを特徴とする請求項１１に記載の実像式ファインダー光学系。
【請求項１３】  前記プリズムの反射面の少なくとも１面が全反射面であることを特徴とする請求項１２に記載の実像式ファインダー光学系。
【請求項１４】  前記第１群、第２群及び第３群を夫々１枚の単レンズで構成したことを特徴とする請求項１１乃至１３のいずれかに記載の実像式ファインダー光学系。
【請求項１５】  前記接眼光学系が、夫々の間に空気間隔を有する２つのレンズ作用を有する光学素子からなり、全体として正の屈折力を有することを特徴とする請求項２又は１１乃至１４のいずれかに記載の実像式ファインダー光学系。
【請求項１６】  前記接眼光学系を、物体側より順に配置された、少なくとも射出面にレンズ作用を有し、かつ、像正立作用の一部を担うプリズムと、１枚の正レンズとで構成したことを特徴とする請求項１５に記載の実像式ファインダー光学系。
【請求項１７】  前記接眼光学系のプリズムの入射面にレンズ作用を持たせたことを特徴とする請求項１６に記載の実像式ファインダー光学系。
【請求項１８】  前記接眼光学系のプリズムの反射面が、全反射面であることを特徴とする請求項１６又は１７に記載の実像式ファインダー光学系。
【請求項１９】  前記接眼光学系中の正レンズが、観察者の視度に合わせて視度調節可能に構成されていることを特徴とする請求項１６乃至１８のいずれかに記載の実像式ファインダー光学系。
【請求項２０】  次の条件式(2)を満足することを特徴とする請求項２又は１１乃至１９のいずれかに記載の実像式ファインダー光学系。
１２．０ｍｍ ＜ ｆｅ ＜ １８．０ｍｍ                         ……(2)
ただし、ｆｅは接眼光学系の焦点距離である。
【請求項２１】  次の条件式(3)を満足することを特徴とする請求項２又は１１乃至１９のいずれかに記載の実像式ファインダー光学系。
１３．５ｍｍ ＜ ｆｅ ＜ １６．５ｍｍ                         ……(3)
ただし、ｆｅは接眼光学系の焦点距離である。
【請求項２２】  前記対物光学系を、物体側より順に配置された、変倍時に可動の負の屈折力を有する第１群と、変倍時に可動の正の屈折力を有する第２群と、変倍時に可動の負の屈折力を有する第３群と、変倍時に固定で４つの反射面を含み全体で正の屈折力を有する第４群とで構成したことを特徴とする請求項４に記載の実像式ファインダー光学系。
【請求項２３】  前記第４群が、２つのプリズムを含み、各々のプリズムは少なくとも１つの反射面を有し、前記各々のプリズムの入射面または射出面の少なくともいずれか一方を有限の曲率の曲面としたことを特徴とする請求項２２に記載の実像式ファインダー光学系。
【請求項２４】  前記２つのプリズムのうち少なくとも一方が全反射面を有することを特徴とする請求項２３に記載の実像式ファインダー光学系。
【請求項２５】  前記第１群、第２群及び第３群を、夫々１枚の単レンズで構成したことを特徴とする請求項２２乃至２４のいずれかに記載の実像式ファインダー光学系。
【請求項２６】  前記接眼光学系が、観察者の視度に合わせて視度調節可能に構成されたレンズを有していることを特徴とする請求項４又は２２乃至２５のいずれかに記載の実像式ファインダー光学系
【請求項２７】  次の条件式(2)を満足することを特徴とする請求項４又は２２乃至２６のいずれかに記載の実像式ファインダー光学系。
１２．０ｍｍ ＜ ｆｅ ＜ １８．０ｍｍ                           ……(2)
ただし、ｆｅは接眼光学系の焦点距離である。
【請求項２８】  次の条件式(3)を満足することを特徴とする請求項４又は２２乃至２６のいずれかに記載の実像式ファインダー光学系。
１３．５ｍｍ ＜ ｆｅ ＜ １６．５ｍｍ                           ……(3)
ただし、ｆｅは接眼光学系の焦点距離である。
【請求項２９】  撮影光学系と、請求項１乃至２８のいずれかに記載の実像式ファインダー光学系とを備えたことを特徴とする撮像装置。
【手続補正３】
【補正対象書類名】明細書
【補正対象項目名】０００１
【補正方法】変更
【補正の内容】
【０００１】
【発明の属する技術分野】
本発明は、撮影光学系とファインダー光学系とが別体に構成されたレンズシャッターカメラや電子スチルカメラ等に用いるのに好適であり、特に、射出角が大きく、小型カメラに搭載するのに最適な実像式ファインダー光学系及びそれを用いた撮像装置に関する。
【手続補正４】
【補正対象書類名】明細書
【補正対象項目名】０００７
【補正方法】変更
【補正の内容】
【０００７】
本発明は、射出角を大きくとることができ、かつ、小型化できる実像式ファインダー光学系及びそれを用いた撮像装置を提供することを目的とする。
【手続補正５】
【補正対象書類名】明細書
【補正対象項目名】００１２
【補正方法】変更
【補正の内容】
【００１２】
また、本第５の本発明による実像式ファインダー光学系は、物体側より順に配置された、正の屈折力を有する対物光学系と、前記対物光学系の結像位置近傍に配置された視野枠と、正の屈折力を有する接眼光学系とを有する実像式ファインダー光学系において、前記対物光学系が、４つの反射面を含む像正立手段を有し、前記対物光学系の焦点距離が可変であり、変倍時に少なくとも２つのレンズ群が異なる軌跡をもって移動し、かつ、前記対物光学系の広角端における焦点距離が前記接眼光学系の焦点距離より短いことを特徴とする。
また、本第６の発明による実像式ファインダー光学系は、前記対物光学系の焦点距離が可変であり、変倍時に少なくとも２つのレンズ群が異なる軌跡をもって移動することを特徴とする。
また、本第７の発明による実像式ファインダー光学系は、次の条件式(2)を満足することを特徴とする。
１２．０ｍｍ ＜ ｆｅ ＜ １８．０ｍｍ                       ……(2)
ただし、ｆｅは接眼光学系の焦点距離である。
また、本第８の発明による実像式ファインダー光学系は、次の条件式(3)を満足することを特徴とする。
１３．５ｍｍ＜ ｆｅ ＜ １６．５ｍｍ                         ……(3)
ただし、ｆｅは接眼光学系の焦点距離である。
また、本第９の発明による実像式ファインダー光学系は、前記対物光学系が、前記像正立手段のうちの３つの反射面を含み、前記接眼光学系が、前記像正立手段のうちの１つの反射面を含み、前記対物光学系の３つの反射面と前記接眼光学系の１つの反射面とを合わせた４つの反射面を介して像正立を達成することを特徴とする。
また、本第１０の発明による実像式ファインダー光学系は、前記対物光学系が、４つの反射面を含む像正立手段を有し、前記対物光学系の４つの反射面を介して像正立を達成することを特徴とする。
また、本第１１の発明による実像式ファインダー光学系は、前記対物光学系を、物体側より順に配置された、変倍時に固定のあるいは可動の負の屈折力を有する第１群と、変倍時に可動の正の屈折力を有する第２群と、変倍時に可動の負屈折力を有する第３群と、変倍時に固定で３つの反射面を含み全体で正の屈折力を有する第４群とで構成したことを特徴とする。
また、本第１２の発明による実像式ファインダー光学系は、前記第４群が、少なくとも１つの反射面を有するプリズムを含み、前記プリズムの入射面あるいは射出面の少なくともいずれか一方に有限の曲率の曲面を有することを特徴とする。
また、本第１３の発明による実像式ファインダー光学系は、前記プリズムの反射面の少なくとも１面が全反射面であることを特徴とする。
また、本第１４の発明による実像式ファインダー光学系は、前記第１群、第２群及び第３群を夫々１枚の単レンズで構成したことを特徴とする。
また、本第１５の発明による実像式ファインダー光学系は、前記接眼光学系が、夫々の間に空気間隔を有する２つのレンズ作用を有する光学素子からなり、全体として正の屈折力を有することを特徴とする。
また、本第１６の発明による実像式ファインダー光学系は、前記接眼光学系を、物体側より順に配置された、少なくとも射出面にレンズ作用を有し、かつ、像正立作用の一部を担うプリズムと、１枚の正レンズとで構成したことを特徴とする。
また、本第１７の発明による実像式ファインダー光学系は、前記接眼光学系のプリズムの入射面にレンズ作用を持たせたことを特徴とする。
また、本第１８の発明による実像式ファインダー光学系は、前記接眼光学系のプリズムの反射面が、全反射面であることを特徴とする。
また、本第１９の発明による実像式ファインダー光学系は、前記接眼光学系中の正レンズが、観察者の視度に合わせて視度調節可能に構成されていることを特徴とする。
また、本第２０の発明による実像式ファインダー光学系は、次の条件式(2)を満足することを特徴とする。
１２．０ｍｍ ＜ ｆｅ ＜ １８．０ｍｍ                         ……(2)
ただし、ｆｅは接眼光学系の焦点距離である。
また、本第２１の発明による実像式ファインダー光学系は、次の条件式(3)を満足することを特徴とする。
１３．５ｍｍ ＜ ｆｅ ＜ １６．５ｍｍ                         ……(3)
ただし、ｆｅは接眼光学系の焦点距離である。
また、本第２２の発明による実像式ファインダー光学系は、前記対物光学系を、物体側より順に配置された、変倍時に可動の負の屈折力を有する第１群と、変倍時に可動の正の屈折力を有する第２群と、変倍時に可動の負の屈折力を有する第３群と、変倍時に固定で４つの反射面を含み全体で正の屈折力を有する第４群とで構成したことを特徴とする。
また、本第２３の発明による実像式ファインダー光学系は、前記第４群が、２つのプリズムを含み、各々のプリズムは少なくとも１つの反射面を有し、前記各々のプリズムの入射面または射出面の少なくともいずれか一方を有限の曲率の曲面としたことを特徴とする。
また、本第２４の発明による実像式ファインダー光学系は、前記２つのプリズムのうち少なくとも一方が全反射面を有することを特徴とする。
また、本第２５の発明による実像式ファインダー光学系は、前記第１群、第２群及び第３群を、夫々１枚の単レンズで構成したことを特徴とする。
また、本第２６の発明による実像式ファインダー光学系は、前記接眼光学系が、観察者の視度に合わせて視度調節可能に構成されたレンズを有していることを特徴とする。
また、本第２７の発明による実像式ファインダー光学系は、次の条件式(2)を満足することを特徴とする。
１２．０ｍｍ ＜ ｆｅ ＜ １８．０ｍｍ                           ……(2)
ただし、ｆｅは接眼光学系の焦点距離である。
また、本第２８の発明による実像式ファインダー光学系は、次の条件式(3)を満足することを特徴とする。
１３．５ｍｍ ＜ ｆｅ ＜ １６．５ｍｍ                           ……(3)
ただし、ｆｅは接眼光学系の焦点距離である。
また、本第２９の発明による撮像装置は、撮影光学系と、本第１乃至２８の発明のいずれかによる実像式ファインダー光学系とを備えたことを特徴としている。
【手続補正６】
【補正対象書類名】明細書
【補正対象項目名】００８１
【補正方法】変更
【補正の内容】
【００８１】
図７に示すように、本実施例の実像式変倍ファインダーでは、対物光学系は、物体側から順に、負の屈折力を有する第１群Ｇ１と、正の屈折力を有する第２群Ｇ２と、負の屈折力を有する第３群Ｇ３と、正の屈折力を有する第４群Ｇ４とで構成されており、全体で正の屈折力を有している。
第４群Ｇ４は、正レンズＬとプリズムＰ１とで構成されている。
接眼光学系は、プリズムＰと正レンズＥ１とで構成されており、全体で正の屈折力を有している。なお、図７中、ＥＰはアイポイントである。
像正立手段は、プリズムＰ１とプリズムＰとで構成されている。また、本実施例の実像式ファインダー光学系では、対物光学系による中間像が、プリズムＰ１とプリズムＰの間に結像するようになっており、その結像位置の近傍に図４に示すような視野枠が設けられている。
広角端から望遠端の変倍は、第４群を固定した状態で、第１、２、３群を光軸上を移動させて行うようになっている。
【手続補正７】
【補正対象書類名】明細書
【補正対象項目名】０１４１
【補正方法】変更
【補正の内容】
【０１４１】
【発明の効果】
以上のように本発明の実像式ファインダー光学系によれば、射出角が大きく、小型の実像式ファインダー光学系及びそれを用いた撮像装置が得られる。
【手続補正８】
【補正対象書類名】図面
【補正対象項目名】図７
【補正方法】変更
【補正の内容】
【図７】
2001305437.tif 000001
【手続補正９】
【補正対象書類名】図面
【補正対象項目名】図１１
【補正方法】変更
【補正の内容】
【図１１】
2001305437.tif 000002
【手続補正１０】
【補正対象書類名】図面
【補正対象項目名】図１７
【補正方法】変更
【補正の内容】
【図１７】
2001305437.tif 000003